(57)【要約】【課題】  収納のみでなく分類作業にも効果があるファイルを提供する。【解決手段】  表紙ファイルと綴じ代と略“へ”の字型角部と略“く”の字型紙挿入部を設けた出し入れしやすいペーパーホルダーと書類落下防止ストッパー部と谷折り線を設けた紙が落下しにくい台紙とよりなる分類作業用ファイルであることを特徴とする。【選択図】図１
2012096521.tif 000002
【特許請求の範囲】
【請求項１】
分類作業用ファイルは表紙ファイルと複数のペーパーホルダーと台紙とよりなるのであるが、クリアーホルダー状のペーパーホルダーは小口と天は開口してあり、小口の対向辺には２ｃｍ幅程度の綴じ代を設けてあり、綴じ代の中央部に２ヶ所程ペーパーホルダー用綴じ穴を設け、ペーパーホルダーの上面シートは小口と天の交わる角を“へ”の字型に切り欠いて略“へ”の字型角部を形成し、略“へ”の字型角部の小口側の少し下の位置に、僅かに丸っこいへこみ状の略“く”の字型に切り欠いた略“く”の字型紙挿入部を設け、ペーパーホルダー下面シートには開口側辺の上半分程にインデックス用目印を設け、表紙ファイルに綴じ込まれる全てのペーパーホルダーの一番底に、少し厚手の丈夫な材質で台紙を綴じるのであるが、台紙の綴じ代の中央部に２ヶ所程の台紙綴じ穴を設け、台紙の下半分はペーパーホルダーの短手の１．８倍程度外につきだすかたちで書類落下防止ストッパー部を設け、書類落下ストッパー部の先端は角を切り欠いて略“つ”の字型に設ける。書類落下ストッパー部の根元に３本程の谷折り線を設けることを特徴とする分類作業用ファイル。
【発明の詳細な説明】
【技術分野】
【０００１】  本発明は、書類やスクラップに対して、収納のみならず、分類する時にも便利なファイルに関するものである。
【背景技術】
【０００２】  従来、金属の留め具の多穴式ファイルがあった。プラスチックのスライド式の２穴式ファイルがあった。ばね式留め具のファイルがあった。簡易バッグ状のファイルがあった。マチ付きフォルダ使用の説明書など用のファイルがあった。クリアファイルがあった。クリアホルダーがあった。カルテ用ファイル等多穴式ファイル用クリアーホルダーがあった。透明書類ホルダーがあった（特許文献１参照）。ファイリング書類があった（特許文献２参照）。２穴ホルダー兼用クリアファイルがあった（特許文献３参照）。クリアホルダ、クリアブック及びクリアファイルがあった（特許文献４参照）。穴あき透明ファイルがあった（特許文献５参照）。スライド式の留め具の小口から紙が落ちないファイルがあった（特許文献６参照）。背表紙と一体となっている留め具の小口から紙が落ちないファイルがあった。ポケット型クリアーファイルの簡易出し入れがあった。ペラペラのクリアーポケットに切欠部を設け紙を挿入しやすくし、フラップによりポケットを保護できるクリアーファイルがあった。資料等保存用のクリアファイルがあった（特許文献７参照）。
【先行技術文献】
【特許文献】
【０００３】
【特許文献１】  実用新案２００８−６０２９
【特許文献２】  特許出願２００８−７９０９６
【特許文献３】  実用新案出願２００６−３３０３
【特許文献４】  登録実用新案第３１３９１１８号
【特許文献５】  実用新案出願平３−３２３９３
【特許文献６】  実用新案公開平６−５０８７６
【特許文献７】  登録実用新案第３１３３８５８号
【特許文献８】  特許公開２００６−２４７８４８
【発明の概要】
【発明が解決しようとする課題】
【０００４】  そのために、次のような欠点があった。収納はできても分類作業には向かなかった。通常の多穴式ファイルのみでは書類を傷めることや出し入れしにくい問題があった。ばね式の留め具のファイルでは書類を傷めること、多量の紙の取り扱いが不便なこと、出し入れしにくいこと、分類しにくいことの問題があった。薄くペラペラのクリアーファイルでは多量の書類の取り扱いに不便なこと、出し入れしにくいこと、ホルダーの増減ができないことの問題があった。簡易バッグ状のファイルでは多量の書類の扱いができないこと、中のホルダーの増減ができないことの問題があった。マチ付きホルダー使用の説明書等用のファイルでは持ち運びに不便なこと、高価であることの問題があった。３１日分のホルダーを挟めるファイルでは高価であること、多量の書類が扱いに不便なことの問題があった。ペラペラのクリアーポケットに切欠部を設け書類を挿入しやすくし、フラップによりポケットを保護できるクリアーファイルでは多量の書類を分類するのには向かないこと、ポケットがペラペラであり、開口部が一辺なので切欠部があっても出し入れのしやすさに限界があること、フラップが傷むと同時に表紙本体が傷むこと、高価であること、インデックスを貼るスペースがないことの問題があった。持ち運びができ、安価で書類を傷めず、多量の書類を扱え、出し入れしやすく、分類しやすく、中のホルダーの増減ができるようなファイルはなかった。
【課題を解決するための手段】
【０００５】  分類作業用ファイルは表紙ファイルと複数のペーパーホルダーと台紙とよりなる。
クリアーホルダー状のペーパーホルダーは小口と天は開口してあり、小口の対向辺には２ｃｍ幅程度の綴じ代を設けてあり、綴じ代の中央部に２ヶ所程ペーパーホルダー用綴じ穴を設ける。
ペーパーホルダーの上面シートは小口と天の交わる角を“へ”の字型に切り欠いて略“へ”の字型角部を形成し、略“へ”の字型角部の小口側の少し下の位置に、僅かに丸っこいへこみ状の略“く”の字型に切り欠いた略“く”の字型紙挿入部を設ける。
ペーパーホルダー下面シートには開口側辺の上半分程にインデックス用目印を設ける。
表紙ファイルに綴じ込まれる全てのペーパーホルダーの一番底に、少し厚手の丈夫な材質で台紙を綴じるのであるが、台紙の綴じ代の中央部に２ヶ所程の台紙綴じ穴を設け、台紙の下半分はペーパーホルダーの短手の１．８倍程度外につきだすかたちで書類落下防止ストッパー部を設け、書類落下ストッパー部の先端は角を切り欠いて略“つ”の字型に設ける。書類落下ストッパー部の根元に３本程の谷折り線を設ける。
本発明は以上の構成よりなる分類作業用ファイルである。
【発明の効果】
【０００６】  書類やスクラップについて、収納のみでなく分類作業にも効果がある。
落下防止ストッパー部がるため、安価な構造であり、書類が落下しない。
略“へ”の字角部があるため、何度もめくるストレスを低減し、また書類を入れやすい。
略“く”の字型紙挿入部があるため、書類を挿入しやすく、また上面シートをめくりやすい。
インデックス用目印があるため、分類がしやすい。
谷折直線があるため書類の厚さに合わせて書類落下防止用ストッパー部を適切な厚みに対応させられる。
持ち運びに便利であり、安価であり、紙を傷めず、多量の紙に対応し、出し入れしやすく、分類しやすく、中のホルダーの増減できるファイルができた。利用すると、分類がはかどり、一般的なファイルに収納する準備が整うため、足りない分のファイルを購入したくなる。
【図面の簡単な説明】
【０００７】
【図１】  本発明の斜視図
【図２】  本発明の一部であるペーパーホルダーの平面図
【図３】  本発明の一部である紙落下防止用ストッパー部の平面図
【図４】  本発明の一部であるペーパーホルダーに書類を入れた状態を表わす一例図
【図５】  本発明における紙落下防止用ストッパー部収納時の斜視図
【図６】  本発明における紙落下防止用ストッパー部使用時の斜視図
【発明を実施するための形態】
【０００８】  以下、本発明の第一実施の形態について説明する。
本発明は表紙ファイル（１）と複数のペーパーホルダー（２）と台紙（１４）とよりなる。
クリアーホルダー状のペーパーホルダー（２）は小口と天は開口してあり、小口の対向辺には２ｃｍ幅程度の綴じ代を設けてあり、綴じ代の中央部に２ヶ所程ペーパーホルダー用綴じ穴（７）を設ける。
ペーパーホルダー（２）の上面シート（５）は小口と天の交わる角を“へ”の字型に切り欠いて略“へ”の字型角部（８）を形成し、略“へ”の字型角部（８）の小口側の少し下の位置に、僅かに丸っこいへこみ状の略“く”の字型に切り欠いた略“く”の字型紙挿入部（９）を設ける。
ペーパーホルダーの下面シート（６）には開口側辺の上半分程にインデックス用目印を設ける。
表紙ファイル（１）に綴じ込まれる全てのペーパーホルダー（２）の一番底に、少し厚手の丈夫な材質で台紙（１４）を綴じるのであるが、台紙（１４）の綴じ代の中央部に２ヶ所程の台紙綴じ穴（１５）を設け、台紙（１４）の下半分はペーパーホルダー（２）の短手の１．８倍程度外につきだすかたちで書類落下防止ストッパー部（３）を設け、書類落下ストッパー部（３）の先端は角を切り欠いて略“つ”の字型に設ける。書類落下ストッパー部（３）の根元に３本程の谷折り線（１６）を設ける。
本発明は以上の構成よりなる分類作業用ファイルである。
以下、本発明の使用例１について説明する。
（イ）多くの書類を整理する時におおまかに紙の内容のテーマを分け、書類をテーマごとのペーパーホルダーに略“く”の字型紙挿入部（９）または略“へ”の字型角部（８）から入れていく。
（ロ）分類が進むと多くの分量が入ったペーパーホルダー（２）がでてくる。
（ハ）必要に応じてインデックス用目印線（１３）にインデックスをつけて分類する。
（ニ）書類が落ちないように書類落下防止用ストッパー部（３）で小口を包み込むように折り曲げて分類作業用ファイルの表紙裏に挟み入れる。
（ホ）谷折直線（１６）があるため、書類で厚くなってもきれいに綴じこめる。
（ヘ）インデックスを見て内容を判別し、めくりやすくなっている略“へ”の字角部（８）をめくり、ペーパーホルダー小口の略“く”の字型紙挿入部（９）より取り出す。
（ト）ペーパーホルダー（２）が不足した時は追加できる。
（チ）紙の多い日常での、取り出しやすく、書類落下の心配なく持ち運び用にも利用できるファイルとして使える。
【符号の説明】
【０００９】  １  表紙ファイル
２  ペーパーホルダー
３  書類落下防止用ストッパー部
４  留め具
５  上面シート
６  下面シート
７  ペーパーホルダー用綴じ穴
８  略“へ”の字型角部
９  略“く”の字型紙挿入部
１０  ペーパーホルダー小口開口部
１１  ペーパーホルダー天開口部
１２  綴じ代
１３  インデックス用目印線
１４  台紙
１５  台紙綴じ穴
１６  谷折り線
【図１】
2012096521.tif 000003
【図２】
2012096521.tif 000004
【図３】
2012096521.tif 000005
【図４】
2012096521.tif 000006
【図５】
2012096521.tif 000007
【図６】
2012096521.tif 000008